(57)【特許請求の範囲】
【請求項１】
スペクトル拡散信号を入力とするスペクトル拡散信号復調装置において、
スペクトル拡散信号に割り当てられた拡散符号と受信信号とのシンボル相関値を検出するシンボル相関検出手段と、
該シンボル相関検出手段で検出されたシンボル相関値に基づいて送信シンボルを判定するシンボル判定手段と、
該シンボル判定手段によって判定されたシンボル判定結果に基づいてシンボル相関値を修正する相関値修正手段とを具備し、
前記相関値修正手段は、
１シンボル相関値をｎシンボル（ｎは２以上の整数）遅延する第１のシンボル遅延器と、
前記シンボル判定結果をｎシンボル遅延する第２のシンボル遅延器と、
前記１シンボル相関値と前記シンボル判定結果の共役複素数の積を求める第１の乗算手段と、
前記第１のシンボル遅延器で遅延された１シンボル相関値と前記第２のシンボル遅延器で遅延されたシンボル判定結果の積を求める第２の乗算手段と、
前記第１、第２の乗算手段の各出力、および前記第１のシンボル遅延器でｍシンボル（ｍはｎより小さい整数）遅延された１シンボル相関値の平均値を求める手段を具備することを特徴とするスペクトル拡散信号復調装置。
【請求項２】
スペクトル拡散信号を入力とするスペクトル拡散信号復調装置において、
スペクトル拡散信号に割り当てられた拡散符号と受信信号とのシンボル相関値を検出するシンボル相関検出手段と、
該シンボル相関検出手段で検出されたシンボル相関値に基づいて送信シンボルを判定するシンボル判定手段と、
該シンボル判定手段によって判定されたシンボル判定結果に基づいてシンボル相関値を修正する相関値修正手段とを具備し、
前記相関値修正手段は、
前記シンボル判定結果の共役複素数を求める共役演算手段と、
該共役演算手段で求められた共役複素数を、１シンボル相関値に乗ずる第１の乗算手段と、
該第１の乗算手段の乗算結果を１より大きいシンボルにわたって平均する平均化手段と、
シンボル判定結果を遅延する遅延手段と、
前記平均化手段と遅延手段の出力を乗ずる第２の乗算手段とを具備することを特徴とするスペクトル拡散信号復調装置。
【請求項３】
スペクトル拡散信号を入力とするスペクトル拡散信号復調装置において、
スペクトル拡散信号に割り当てられた拡散符号と受信信号とのシンボル相関値を検出するシンボル相関検出手段と、
該シンボル相関検出手段で検出されたシンボル相関値に基づいて送信シンボルを判定すると共に、シンボル判定結果の信頼度を出力する信頼度付きシンボル判定手段と、
該信頼度付きシンボル判定手段によって判定されたシンボル判定結果に基づいてシンボル相関値を修正する相関値修正手段とを具備し、
前記相関値修正手段は、
１シンボル相関値をｎシンボル（ｎは２以上の整数）遅延する第１のシンボル遅延器と、
前記シンボル判定結果をｎシンボル遅延する第２のシンボル遅延器と、
前記１シンボル相関値と前記シンボル判定結果の共役複素数の積を求める第１の乗算手段と、
前記第１のシンボル遅延器で遅延された１シンボル相関値と前記第２のシンボル遅延器で遅延されたシンボル判定結果の積を求める第２の乗算手段と、
前記第１、第２の乗算手段の各出力、および前記第１のシンボル遅延器でｍシンボル（ｍはｎより小さい整数）遅延された１シンボル相関値の平均値を求める手段を具備することを特徴とするスペクトル拡散信号復調装置。
【請求項４】
スペクトル拡散信号を入力とするスペクトル拡散信号復調装置において、
スペクトル拡散信号に割り当てられた拡散符号と受信信号とのシンボル相関値を検出するシンボル相関検出手段と、
該シンボル相関検出手段で検出されたシンボル相関値に基づいて送信シンボルを判定すると共に、シンボル判定結果の信頼度を出力する信頼度付きシンボル判定手段と、
該信頼度付きシンボル判定手段によって判定されたシンボル判定結果に基づいてシンボル相関値を修正する相関値修正手段とを具備し、
前記相関値修正手段は、
前記シンボル判定結果の共役複素数を求める共役演算手段と、
該共役演算手段で求められた共役複素数を、１シンボル相関値に乗ずる第１の乗算手段と、
該第１の乗算手段の乗算結果を１より大きいシンボルにわたって平均する平均化手段と、
シンボル判定結果を遅延する遅延手段と、
前記平均化手段と遅延手段の出力を乗ずる第２の乗算手段とを具備することを特徴とするスペクトル拡散信号復調装置。
【発明の詳細な説明】
【０００１】
【発明の属する技術分野】
本発明は、スペクトル拡散信号復調装置に関し、特に、セルラー通信システム、構内無線通信システム、あるいは無線ＬＡＮシステム等に用いられ、干渉除去能力を向上させたスペクトル拡散信号復調装置に関する。
【０００２】
【従来の技術】
スペクトル拡散信号による通信では、送信しようとする変調シンボルに対して高速な拡散符号でさらに変調をかけ（これを２次変調という）、情報帯域幅以上のスペクトル幅を有する信号として情報を伝送する。受信側においては、受信信号に対して逆拡散を行い変調シンボルを抽出する。ここで逆拡散とは、１変調シンボルに割り当てられた拡散符号の共役複素数と受信信号の畳込み積分を行う処理のことである。この結果得られるシンボル相関値が復調シンボルであり、従来技術ではこの１シンボル分の相関値をそのまま復調シンボルとして送信情報抽出の対象としている。
【０００３】
変調シンボルは、送信情報がそのまま変調されている場合や、送信情報に対して誤り訂正のための符号化が施されたあとで変調されている場合がある。受信方法としては復調シンボルから送信情報を直接抽出する方法や、あるいは干渉局の復調シンボルから干渉成分を複製しこれを受信信号から減じた後で目的とする送信情報を抽出する方法などがある。
【０００４】
後者の受信方法、すなわち干渉除去による受信方法において、パイロットシンボルの有無にかかわらず適用できる方法の一例を、図１０を参照して説明する。受信信号１は、シンボル相関検出手段１１と減算器１３に入力する。シンボル相関検出手段１１は１シンボル分の相関値を求め、干渉信号複製手段１２に出力する。干渉信号複製手段１２は、入力してきた相関値をそれぞれの送信シンボルのタイミングに合わせて拡散符号で再度拡散することにより、受信信号に含まれる個々のスペクトル拡散信号の複製を作成する。減算器１３は、受信信号１から複製信号を除去し、シンボル相関検出手段１４は該複製信号除去後の受信信号と該受信信号に含まれる個々のスペクトル拡散信号に割り当てられた拡散符号との相関値を求める。情報復調手段１５は該相関値を復調し、復調情報として出力する。
【０００５】
次に、パイロットシンボルが有る伝送方式にのみ適用できる方法を、図１１を参照して説明する。なお、図１０と同一の符号は同一または同等の機能を有しているので、説明を省略する。伝送路推定手段１６は、シンボル相関検出手段１１で検出されたパイロットシンボルから伝送路状態を推定し、シンボル判定手段１７は１シンボル分の相関値からシンボルを仮判定する。干渉信号複製手段１２は、該仮判定結果に対してその伝送路推定値を乗じて、これを干渉成分の複製とする。
【０００６】
【発明が解決しようとする課題】
前記した従来の干渉除去による受信方法は、いずれも、１シンボル分の相関値から個々の復調シンボルを決定するために、１シンボル分の相関値に含まれる雑音成分が複製干渉信号の品質を劣化させ、干渉除去の精度を低下させるという問題があった。
【０００７】
本発明は、前記従来技術の問題点を除去し、個々の復調シンボルに含まれる雑音成分を低減し、干渉除去の効果をより大きくしたスペクトル拡散信号復調装置を提供することを目的とする。
【０００８】
【課題を解決するための手段】
前記目的を達成するために、本発明は、スペクトル拡散信号を入力とするスペクトル拡散信号復調装置において、スペクトル拡散信号に割り当てられた拡散符号と受信信号とのシンボル相関値を検出するシンボル相関検出手段と、該シンボル相関検出手段で検出されたシンボル相関値に基づいて送信シンボルを判定するシンボル判定手段と、該シンボル判定手段によって判定されたシンボル判定結果に基づいてシンボル相関値を修正する相関値修正手段とを具備し、前記相関値修正手段は、１シンボル相関値をｎシンボル（ｎは２以上の整数）遅延する第１のシンボル遅延器と、前記シンボル判定結果をｎシンボル遅延する第２のシンボル遅延器と、前記１シンボル相関値と前記シンボル判定結果の共役複素数の積を求める第１の乗算手段と、前記第１のシンボル遅延器で遅延された１シンボル相関値と前記第２のシンボル遅延器で遅延されたシンボル判定結果の積を求める第２の乗算手段と、前記第１、第２の乗算手段の各出力、および前記第１のシンボル遅延器でｍシンボル（ｍはｎより小さい整数）遅延された１シンボル相関値の平均値を求める手段を具備するようにした点に第１の特徴がある。
【０００９】
また、本発明は、スペクトル拡散信号に割り当てられた拡散符号と受信信号とのシンボル相関値を検出するシンボル相関検出手段と、該シンボル相関検出手段で検出されたシンボル相関値に基づいて送信シンボルを判定すると共に、シンボル判定結果の信頼度を出力する信頼度付きシンボル判定手段と、該信頼度付きシンボル判定手段によって判定されたシンボル判定結果に基づいてシンボル相関値を修正する相関値修正手段とを具備し、前記相関値修正手段は、１シンボル相関値をｎシンボル（ｎは２以上の整数）遅延する第１のシンボル遅延器と、前記シンボル判定結果をｎシンボル遅延する第２のシンボル遅延器と、
前記１シンボル相関値と前記シンボル判定結果の共役複素数の積を求める第１の乗算手段と、前記第１のシンボル遅延器で遅延された１シンボル相関値と前記第２のシンボル遅延器で遅延されたシンボル判定結果の積を求める第２の乗算手段と、前記第１、第２の乗算手段の各出力、および前記第１のシンボル遅延器でｍシンボル（ｍはｎより小さい整数）遅延された１シンボル相関値の平均値を求める手段を具備するようにした点に第２の特徴がある。
【００１０】
本発明の第１、第２の特徴によれば、従来の軟判定基準による複製信号除去方式の特徴であるパイロットシンボルフリー（パイロットシンボルなどチャネル状態を推定するための既知の情報が伝送されない方式でも適用できること）を維持しつつ、干渉除去能力を向上させることができる。また、パイロットシンボルがある伝送方式に適用した場合でも、干渉除去能力を同様に向上させることができる。
【００１１】
【発明の実施の形態】
以下に、本発明を、図面を参照して詳細に説明する。図１は本発明の一実施形態のスペクトル拡散信号復調装置の構成を示すブロック図である。この実施形態は、パイロットシンボルがある伝送方式に適用できることは勿論、パイロットシンボルが無い伝送方式にも適用可能である。
【００１２】
シンボル相関検出手段１１１〜１１Ｋは、除去するスペクトル拡散信号に割り当てられた拡散符号と受信信号との相関を検出するものであり、相関器あるいは整合フィルタあるいはこれらに準ずるもので実現される。
【００１３】
図２は、整合フィルタを用いて該シンボル相関検出手段１１１を構成した一具体例のブロック図である。なお、シンボル相関検出手段１１２〜１１Ｋはシンボル相関検出手段１１１と同構成であるので、説明を省略する。整合フィルタ２１は受信信号１と拡散符号との瞬時相関値ａを求める。パス検出器２２はその結果から目的とする信号の存在を検出する。フィンガ捕捉器２３は、検出されたパス情報（ある種のタイミング情報）に基づいて瞬時相関値ａを捕捉し、これを１シンボル相関値ｂ1 として出力する。
【００１４】
シンボル判定手段１２１は、１または複数の１シンボル相関値ｂ1 〜ｂk を同相で合成して、すなわちダイバシチ合成をして、シンボル判定するものである。シンボル判定は符号だけを出力する硬判定、またはシンボル判定結果の信頼度を出力する信頼度付きシンボル判定、例えば、符号と合成信号強度を出力する軟判定を用いることができる。なお、前記信頼度付きシンボル判定は、より確からしい判定結果には大きな値を出力し、確からしさの小さい判定結果には小さな値を出力する、つまり判定結果の確からしさに重み付けをして判定するものである。伝送路に反射物などがある場合あるいは受信系統が複数ある場合には、同一の送信信号が複数のパスを通って受信されるので、複数の１シンボル相関値ｂ1 〜ｂk を同相合成することは有意義である。
【００１５】
シンボル判定手段１２１の一具体例を図３に示す。それぞれの１シンボル相関値ｂ1 〜ｂk に対して、これらの直前のシンボル相関値がシンボル遅延器３１〜３Ｋに記憶されており、その共役複素数値が共役演算器４１〜４Ｋより出力される。乗算器５１〜５Ｋは、前記１シンボル相関値ｂ1 〜ｂk と共役演算器４１〜４Ｋの出力とを乗算して出力する。この結果、伝送路で受ける位相回転が取り除かれ、合成器３２においてＫ個の１シンボル相関値を同相合成することができる。シンボル判定器３３は、合成された１シンボル相関値から復調シンボルを判定する。
【００１６】
相関値修正手段１３１〜１３Ｋは、本発明によって新規に提案される手段であり、シンボル相関検出手段１１１〜１１Ｋから出力される１シンボル相関値ｂ1 〜ｂk とシンボル判定手段１２１が出力するシンボル判定結果を入力として、シンボル相関値ｂ1 〜ｂk の修正を行う。
【００１７】
図４に、連続する３シンボルの相関値に基づいて相関値を修正する相関値修正手段１３１の一具体例を示す。なお、他の相関値修正手段１３２〜１３Ｋも同構成である。入力された１シンボル相関値ｂ1 は、２つのシンボル遅延器６１、６２によって、２シンボル前までが記憶される。シンボル判定結果ｃはシンボル遅延器６３によって１シンボル前までが記憶される。現在のシンボル判定結果ｃは共役演算器６４によって共役値が計算されて、現在の１シンボル相関値ｂ1 と乗算器６５にて乗じられる。一方、２シンボル前の入力については、１シンボル前のシンボル判定結果ｃ' と２シンボル前の１シンボル相関値ｂ1'が乗算器６６で乗じられる。これら２つの乗算結果と１シンボル前の１シンボル相関値は加算器６７で加算され、この加算値（合計値）を除算器６８において“３”で除し、その結果を修正したシンボル相関値ｄ1 とする。
【００１８】
図１の相関値修正手段１３１〜１３Ｋ以後のブロックは、従来技術で用いられているものと同等である。すなわち、干渉信号複製手段１４１〜１４Ｋは、干渉信号のシンボル相関値ｄ1 〜ｄk を該当する拡散符号でスペクトル拡散し、場合によってはこのスペクトル拡散信号に対して波形整形や信号強度の抑圧を施し、これを干渉信号の複製ｅ1 〜ｅk として出力する。
【００１９】
図５は干渉信号複製手段１４１の一具体例である。なお、他の干渉信号複製手段１４２〜１４Ｋも同構成である。入力されたシンボル相関値ｄ1 は、乗算器７１で抑圧係数（通常１以下）と乗じられ、その強度が弱められる。次に再拡散器７２によって所定の拡散符号で再拡散された後に、波形整形器７３で拡散信号の帯域が制限された信号波形を干渉信号の複製ｅ1 として出力する。
【００２０】
減算信号１５１は、受信信号１から干渉信号複製手段１４１〜１４Ｋが出力する複製ｅ1 〜ｅk を減じ、これを干渉除去後の受信信号として出力する。シンボル相関検出手段１６１は、復調の対象となるスペクトル拡散信号に割り当てられた拡散符号と干渉除去後の受信信号との相関を検出する。情報復調手段１７１は、目的とする復調シンボルに基づいて送信情報の復元を行うものであり、誤り訂正符号化などが施されていない伝送方式であれば、シンボル判定手段１２１と同様の操作を行う。一方、誤り訂正符号化などが施されていれば、それら符号化法に対応した復号操作を行う。
【００２１】
次に、本実施形態の効果を数式を用いて説明する。除去するスペクトル拡散信号のチャネル状態をａ、時刻ｔに対応する送信シンボルをｄｔ  、シンボル相関検出手段１１１が出力する時刻に対応する１シンボルの相関値をｓｔ  、ｓｔ  に含まれる雑音成分をｎｔ  とすると、シンボル相関検出手段１１１の出力は下記の(1) 式で表される。
ｓｔ  ＝ａ・ｄｔ  ＋ｎｔ    …(1)
なお、全ての記号は複素数とする。また、説明を簡単にするために｜ｄｔ  ｜＝１とする。
【００２２】
シンボル判定手段１２１が出力する、時刻ｔに対応する差動シンボル判定結果をΔ＾ｄｔ  とする。もし、この判定結果が正しければ(2) 式の関係となる。ここで、ｘ＊  はｘの共役複素数である。
Δ＾ｄｔ  ＝ｄｔ  ・ｄ＊  ｔ−１    …(2)
相関値修正手段１３１が出力する、時刻ｔに対応する修正相関値＾ｓｔ  は、図４より、下記の(3) 式となる。
＾ｓｔ  ＝１／３（ｓｔ−１  ・Δ＾ｄｔ  ＋ｓｔ  ＋ｓｔ＋１  ・Δ＾ｄ＊  ｔ＋１  ）  …(3)   (1) 式と(2) 式を、(3) 式に代入すれば、下記の(4) 式となる。
【００２３】
＾ｓｔ  ＝１／３（ｓｔ−１  ・Δ＾ｄｔ  ＋ｓｔ  ＋ｓｔ＋１  ・Δ＾ｄ＊  ｔ＋１  ）
＝１／３［（ａｄｔ−１  ＋ｎｔ−１  ）ｄｔ  ・ｄ＊  ｔ−１  ＋（ａｄｔ  ＋ｎｔ  ）＋（ａｄｔ＋１  ＋ｎｔ＋１  ）ｄ＊  ｔ＋１  ・ｄｔ  ］
＝ａ・ｄｔ  ＋１／３（ｎ' ｔ−１  ＋ｎｔ  ＋ｎ' ｔ＋１  ）  …(4)
ここで、ｎ' ｔ−１  ＝ｎｔ−１  ・ｄｔ  ・ｄ＊  ｔ−１  、ｎ' ｔ＋１  ＝ｎｔ＋１  ・ｄ＊  ｔ＋１  ・ｄｔ  である。｜ｄｔ  ｜＝１であるから、ｎ' の分散値はｎの分散値と同じである。
【００２４】
よって、相関値修正手段１３１が出力する復調シンボルに含まれる目的信号電力はａ２  、雑音電力はｎの分散をＮとして、３Ｎ／３２  ＝Ｎ／３となる。一方、前記(1) 式より、１シンボル相関検出手段１１１が出力する復調シンボルに含まれる目的信号電力はａ２  であるものの雑音電力はＮである。すなわち，本実施形態の効果として、復調シンボルに含まれる雑音電力を１／３倍に低減できる。
【００２５】
シンボル判定手段１２１が出力するシンボル判定結果Δ＾ｄｔ  に誤りがある場合には、１／３倍より大きい雑音電力になるが、シンボル判定誤り率が実用的なレベル（１０％程度以下）であれば改善効果を得ることができる。
【００２６】
次に、本発明の第２実施形態について、図６を参照して説明する。図６は本実施形態の構成を示すブロック図である。この実施形態は、パイロットシンボルを有する伝送方式に適用可能である。
【００２７】
シンボル相関検出手段２１１〜２１Ｋは、第１実施形態のシンボル相関検出手段１１１〜１１Ｋと同一または同等の構成であるので、説明を省略する。
【００２８】
伝送路推定手段２３１〜２３Ｋは、復調シンボルの中からパイロットシンボルを抽出し、その抽出されたパイロットシンボルと本来送信されるはずのパイロットシンボルパターンとを比較することにより、伝送路の状態を推定するものである。
【００２９】
シンボル判定手段２２１は、１または複数の１シンボル相関値ｆ1 〜ｆk をそれら伝送路状態に基づいて同相で合成して、すなわちダイバシチ合成して、シンボル判定するものである。シンボル判定は、符号だけを出力する硬判定、またはシンボル判定結果の信頼度を出力する信頼度付きシンボル判定、例えば、符号と合成信号強度を出力する軟判定を用いることができる。伝送路に反射物などがある場合あるいは受信系統が複数ある場合には、同一の送信信号が複数のパスを通って受信されるので、通常は複数の１シンボル相関値を同相合成する。
【００３０】
シンボル判定手段２２１の一具体例を図７に示す。シンボル判定手段２２１には、それぞれの1 シンボル相関値ｆ1 〜ｆk とそれらに対応する伝送路推定値ｇ1 〜ｇk が入力される。伝送路推定値ｇ1 〜ｇk は共役演算器８１〜８Ｋを通して共役複素数に変換された後、乗算器９１〜９Ｋにより１シンボル相関値ｆ1 〜ｆk に乗じられ、伝送路で受ける位相回転が取り除かれる。この結果、合成器１０１において、複数の１シンボル相関値ｆ1 〜ｆk を同相合成することができる。シンボル判定器１０２は、合成された１シンボル相関値から復調シンボルを判定し、シンボル判定結果ｈを出力する。
【００３１】
相関値修正手段２４１〜２４Ｋは、本発明によって新規に提案される手段であり、シンボル相関検出手段２１１〜２１Ｋから出力される１シンボル相関値ｆ1 〜ｆk と、シンボル判定手段２２１が出力するシンボル判定結果ｈを入力として、シンボル相関値ｆ1 〜ｆk の修正を行う。
【００３２】
図８に、相関値修正手段２４１の一具体例を示す。なお、他の相関値修正手段２４２〜２４Ｋも、同一または同等の構成である。入力されたシンボル判定結果ｈは、共役演算器１０３によって共役複素数が取られ、乗算器１０４にて入力された１シンボル相関値ｆ1 と掛け合わされる。平均値演算器１０５は、この乗算結果に対して複数のシンボルにわたって平均値を求める処理を行う。一方、遅延器１０６は平均値演算器１０５の処理に要する時間だけシンボル判定結果ｈを記憶する。乗算器１０７は、シンボル相関値ｆ1 とシンボル判定結果ｈの共役複素数との積を平均値演算器１０５で平均した結果と、シンボル判定結果ｈの記憶値を掛け合わせて出力するものである。
【００３３】
相関値修正手段２４１〜２４Ｋ以後の構成、すなわち干渉信号複製手段２５１〜２５Ｋ、減算器２６１、シンボル相関検出手段２７１、および情報復調手段２８１は、前記第１実施形態の対応する手段と同一または同等であるので、説明を省略する。なお、本実施形態の干渉信号複製手段２５１〜２５Ｋには、相関値修正手段２４１〜２４Ｋから出力されたシンボル相関値ｉ1 〜ｉk が入力するが、図１１に示した従来の干渉信号複製手段１２には、シンボル相関値の入力はなく、伝送路推定値（伝送路推定手段１７の出力）とシンボル判定結果（シンボル判定手段１７の出力）の２種類の信号が入力する。このため、本実施形態の干渉信号複製手段２５１〜２５Ｋと従来の干渉信号複製手段１２とは、異なるものである。  次に、この第２実施形態による効果について数式を用いて説明する。ここで用いる記号は、第１実施形態で用いたものと同じ意味を有している。
【００３４】
シンボル判定手段２２１が出力する、時刻ｔに対応するシンボル判定結果を＾ｄｔ  とする。もし、この判定結果が正しければ下記(5) 式の関係となる。
＾ｄｔ  ＝ｄｔ    …(5)
相関値修正手段２４１の平均値演算器１０５（図８参照）において求める平均値をＳとする。例として、平均をとる区間を連続するｍシンボル時間（ｍは、正の整数）とすると、Ｓは図９の(6) 式で与えられる。
【００３５】
次に、相関値修正手段２４１の出力ｉ1 （＝＾ｓｔ  ）は次の(7) 式のようになる。
＾ｓｔ  ＝Ｓ・＾ｄｔ    （ただし、ｊ＋１≦ｔ≦ｊ＋ｍ）…(7)
次に、(6) 式に(1) 式を代入すると、図９の(8) 式が得られ、(7) 式に(5) および(8) 式を代入すると、図９の(9) 式が得られる。
【００３６】
よって、修正された相関値＾ｓｔ  に含まれる目的信号電力はａ２  、雑音電力はｎの分散をＮとして、ｍＮ／ｍ２  ＝Ｎ／ｍとなる。すなわち，本発明の第２実施形態の効果として、復調シンボルに含まれる雑音電力を１／ｍ倍に低減できる。
【００３７】
シンボル判定手段２２１が出力するシンボル判定結果＾ｄｔ  に誤りがある場合には、１／ｍ倍より大きい雑音電力になるが、シンボル判定誤り率が実用的なレベル（１０％程度以下）であれば改善効果を得ることができる。
【００３８】
一例を挙げれば、ｄｔ  をＢＰＳＫ信号としてそのビット誤り率が８％のとき、受信シンボル電力とシンボル相関値に含まれる熱雑音電力が等しい場合（ａ２  ＝Ｎ）でも、ｍ＝２で０．３ｄＢ（０．９２倍）、ｍ＝４で０．９ｄＢ（０．８２倍）、ｍ＝８で１．４ｄＢ（０．７３倍）程度の改善（雑音電力の減少）がある。しかも平均区間シンボル長であるｍは自由に設定することができるので、必要な分だけ特性を改善することが可能である。
【００３９】
一方、図１１に示した従来のスペクトル拡散信号復調装置では、仮にシンボル判定誤りが無いとしても、複製干渉信号の精度はパイロットに含まれる受信電力でほぼ決まるので、受信側だけの処理では品質改善が難しい。また、シンボル判定に誤りがある場合には、シンボル判定結果を直接再拡散するので、複製干渉信号の精度劣化が本第２実施形態に比べて大きい。
【００４０】
以上示したように本発明によれば、干渉信号のシンボル相関値を修正することにより、精度良く干渉除去を行うことが可能である。
【００４１】
なお、上記した第１、第２実施形態は一例であり、加減乗除の順序性や相関値平均区間の選び方などに無関係で、複数のシンボル相関値とシンボル仮判定結果に基づいて一つ以上のシンボル相関値を修正するもの一切を本発明は含んでいる。
【００４２】
また、シンボル相関値の信号対雑音電力比（ＳＮＲ）と修正シンボル相関値のＳＮＲの関係が、前記(1) 式、(4) 式または(9) 式で示したＳＮＲの関係と同一になるものは、前記実施形態と等価である。
【００４３】
シンボル判定とは通常、送信シンボルが取りうる値を最終的に判定する前に判定することを意味する。しかし、シンボル判定結果の取りうる値が送信シンボルの取りうる値以外のものであっても、本実施形態と同様の効果を得ることができる。一例としては、送信シンボルが取りうる値に一定量のオフセットを与えた判定であっても、ここで示した実施形態と同じ効果が得られる。あるいは、シンボル判定結果の取りうる値の総数が、送信シンボルが取りうる値の総数と異なっていても、その取りうる値の選び方によっては本実施形態と同様の効果が得られる可能性がある。
【００４４】
すなわち、本発明の主要部分は、時刻の異なる複数のシンボル相関値に対して複素重み付け平均値（実数重み付けも含む。重み付け係数の大きさが全て１の場合も含む）を求めてシンボル相関値を修正する点にあり、その平均の仕方やシンボルの判定方法を変更することによって、本発明の範囲から逸脱できるものではない。
【００４５】
【発明の効果】
以上述べたように、本発明によれば、シンボル判定手段によって判定された受信シンボルの判定結果に基づいてシンボル相関値を修正するようにしたので、雑音レベルが小さい干渉信号を複製できるようになる。また、このため、このようにして得られた雑音レベルが小さい複製信号を受信信号あるいはすでに一部の干渉成分が除去された後の受信信号から減じることで、干渉除去能力を向上させることができるようになる。また、本発明は、パイロットシンボルを用いない伝送方式においても柔軟に適応できる。
【図面の簡単な説明】
【図１】  本発明の第１実施形態の構成を示すブロック図である。
【図２】  本実施形態のシンボル相関検出手段の一具体例を示すブロック図である。
【図３】  本実施形態のシンボル判定手段の一具体例を示すブロック図である。
【図４】  本実施形態の相関値修正手段の一具体例を示すブロック図である。
【図５】  本実施形態の干渉信号複製手段の一具体例を示すブロック図である。
【図６】  本発明の第２実施形態の構成を示すブロック図である。
【図７】  本実施形態のシンボル判定手段の一具体例を示すブロック図である。
【図８】  本実施形態の相関値修正手段の一具体例を示すブロック図である。
【図９】  数式の説明図である。
【図１０】  従来装置の一例を示すブロック図である。
【図１１】  従来装置の他の例を示すブロック図である。
【符号の説明】
１１１〜１１Ｋ，２１１〜２１Ｋ…シンボル相関検出手段、１２１，２２１…シンボル判定手段、１３１〜１３Ｋ，２４１〜２４Ｋ…相関値修正手段、１４１〜１４Ｋ，２５１〜２５Ｋ…干渉信号複製手段、１５１，２６１…減算器、１６１，２７１…シンボル相関検出手段、１７１，２８１…情報復調手段。
【図１】
0003638107.tif 000002
【図２】
0003638107.tif 000003
【図３】
0003638107.tif 000004
【図４】
0003638107.tif 000005
【図５】
0003638107.tif 000006
【図６】
0003638107.tif 000007
【図７】
0003638107.tif 000008
【図８】
0003638107.tif 000009
【図９】
0003638107.tif 000010
【図１０】
0003638107.tif 000011
【図１１】
0003638107.tif 000012